(57)【要約】【課題】  繰り出し容器において、受皿体の繰り出し操作により、受皿体と操作体との螺合が外れるのを防止することにより、常に内容物の適正な出し入れ操作を得ることができるようにすることを目的とするものである。【解決手段】  内容物Ｎを昇降可能に収納する収納筒体２と、収納筒体２内を昇降する受皿体６と、受皿体６を昇降変位させる操作体１３を有し、受皿体６のネジ脚片８の下端に螺脱防止用のストッパー端部１２を形成し、このストッパー端部１２の直上のネジ脚片８のネジ山９部分のネジ山頂面幅ａを、６０〜４０パーセントに減少させて、螺合突片１５の乗り越えを容易とし、受皿体６と操作体１３の螺脱発生を防止した。【選択図】  図３
2015008935.tif 000002
【特許請求の範囲】
【請求項１】
棒状の内容物（Ｎ）を昇降変位可能に収納する収納筒部（３）を有する収納筒体（２）と、前記収納筒部（３）内に昇降変位可能にかつ回動変位不能に組付く保持筒片（７）にネジ脚片（８）を垂下設した受皿体（６）と、前記収納筒体（２）に回動可能かつ昇降変位不能に組付くと共に、前記ネジ脚片（８）に外装して螺合する、指先での回動操作が可能な操作体（１３）とを具備する容器本体（１）において、前記ネジ脚片（８）の下端部を、ネジ谷（１０）を埋めた構造のストッパー端部（１２）とし、該ストッパー端部（１２）の直上のネジ山（９）部分のネジ山頂面幅（ａ）を、他のネジ山（９）部分の６０〜４０パーセントに設定したことを特徴とする繰り出し容器。
【請求項２】
ストッパー端部（１２）の直上のネジ山（９）部分のネジ山頂面幅（ａ）を、他のネジ山（９）部分の５０パーセントに設定した請求項１に記載の繰り出し容器。
【請求項３】
ストッパー端部（１２）の直上のネジ山（９）部分のネジ山頂面幅（ａ）を、前記ストッパー端部（１２）に近付くに従って徐々に小さくする請求項１または２に記載の繰り出し容器。
【請求項４】
ストッパー端部（１２）の直上のネジ谷（１０）部分の深さを、前記ストッパー端部（１２）に近付くに従って徐々に浅くして、ネジ谷底面（ｂ）を前記ネジ谷（１０）の終端間近まで位置させた請求項３に記載の繰り出し容器。
【請求項５】
ストッパー端部（１２）の直上のネジ山（９）部分に、リード角が０度の逃げ欠部（１１）を形成した請求項１または２に記載の繰り出し容器。
【請求項６】
逃げ欠部（１１）を設けた部分からストッパー端部（１２）までのネジ谷（１０）部分の深さを、前記ストッパー端部（１２）に近付くに従って徐々に浅くして、ネジ谷底面（ｂ）を前記ネジ谷（１０）の終端間近まで位置させた請求項５に記載の繰り出し容器。
【発明の詳細な説明】
【技術分野】
【０００１】
本発明は、収納した棒状内容物を、必要時に繰り出し消費し、不必要時には繰り入れ収納する繰り出し容器に関するものである。
【背景技術】
【０００２】
棒状の内容物を昇降変位可能に収納する収納筒部を設けた収納筒体と、内容物を搭載しながら、収納筒部内を昇降変位可能かつ回動変位不能に組付く保持筒片に、ネジ脚片を垂下設した受皿体と、収納筒体に回動可能かつ昇降変位不能に組付き、受皿体のネジ脚片に外装螺合して、指先で回動操作される操作体と、を具備する繰り出し容器の容器本体が知られている（例えば、特許文献１参照）。
【先行技術文献】
【特許文献】
【０００３】
【特許文献１】特開平１１−１６４７３２号公報
【発明の概要】
【発明が解決しようとする課題】
【０００４】
この特許文献１で代表される従来の一般的な繰り出し容器にあっては、図６に示すように、受皿体のネジ脚片８０の下端に、ネジ谷１００を埋めた構造のストッパー端部１２０を形成し、このストッパー端部１２０により、操作体のネジ脚片８０に対する螺脱を阻止して螺合を確保するようにしているのである。しかしながら、内容物の繰り出し操作の加減によっては、操作体の螺合突片１５０がストッパー端部１２０に乗り上げて、不正に螺脱してしまう不都合が発生する。このように、操作体の螺合突片１５０がネジ脚片８０から螺脱すると、繰り出し限界位置まで繰り出された内容物を、収納筒部内に繰り入れ収納することが不可能となる、と云う問題が生じる。
【０００５】
そこで、本発明は、上記した従来技術における問題点を解消すべく創案されたもので、受皿体の繰り出し操作により受皿体と操作体との螺合が外れるのを防止することを技術的課題とし、もって常に内容物の適正な出し入れ操作を得ることができるようにすることを目的とするものである。
【課題を解決するための手段】
【０００６】
上記課題を解決する本発明の手段の主たる構成は、棒状の内容物を昇降変位可能に収納する収納筒部を有する収納筒体と、収納筒部内に昇降変位可能にかつ回動変位不能に組付く保持筒片にネジ脚片を垂下設した受皿体と、収納筒体に回動可能かつ昇降変位不能に組付くと共に、受皿体のネジ脚片に外装して螺合する、指先での回動操作が可能な操作体とを具備する容器本体であること、
受皿体のネジ脚片の下端部を、ネジ谷を埋めた構造のストッパー端部とすること、
このストッパー端部の直上のネジ山部分のネジ山頂面幅を、他のネジ山部分の６０〜４０パーセントに設定したこと、
にある。
【０００７】
受皿体が繰り出し限界位置、すなわち操作体の螺合突片がストッパー端部の上端に突き当たる位置に達すると、受皿体の操作体側に対する相対的な上昇変位は停止する状態となる。
【０００８】
この受皿体が繰り出し限界位置に達した状態で、操作体に対する繰り出し操作が継続されると、操作体の螺合突片は、周方向に相対的に移動しながらネジ脚片のネジ山およびストッパー端部に乗り上げる。この際、螺合突片が乗り上げたネジ山部分のネジ山頂面幅は、他のネジ山部分の６０〜４０パーセントと狭く設定されているので、乗り上げた螺合突片はこのネジ山部分を簡単に乗り越えて隣りのネジ谷に螺合する。これにより、受皿体と操作体の螺合が不都合に解除されることが回避される。
【０００９】
ストッパー端部の直上のネジ山部分のネジ山頂面幅が、他のネジ山部分の６０〜４０パーセントに設定されているが、この設定値が４０パーセント以下であると、ネジ山としての強度が、実用上不足することが考えられ、反対に設定値が６０パーセント以上であると、ネジ山に対する螺合突片の乗り越え動作の確実性が低くなる傾向が現れる。
【００１０】
本発明の別の構成は、上記した主たる構成における、ストッパー端部の直上のネジ山部分のネジ山頂面幅を、他のネジ山部分の５０パーセントに設定したものである。
【００１１】
ストッパー端部の直上のネジ山部分のネジ山頂面幅を、他のネジ山部分の５０パーセントに設定したものにあっては、ネジ山としての強度を確保した状態で、ネジ山に対する螺合突片の乗り越え動作の高い確実性を得ることができる。
【００１２】
また、本発明の別の構成は、上記した主たる構成に、ストッパー端部の直上のネジ山部分のネジ山頂面幅を、ストッパー端部に近付くに従って徐々に小さくする、ことを加えたものである。
【００１３】
ネジ山部分のネジ山頂面幅を、ストッパー端部に近付くに従って徐々に小さくしたものにあっては、ストッパー端部の直上のネジ山部分に対する螺合突片の乗り越え動作が、円滑に達成される。
【００１４】
また、本発明の別の構成は、上記した主たる構成に、ストッパー端部の直上のネジ谷部分の深さを、ストッパー端部に近付くに従って徐々に浅くして、ネジ谷底面をネジ谷の終端間近まで位置させた、ことを加えたものである。
【００１５】
ネジ谷部分の深さを、ストッパー端部に近付くに従って徐々に浅くして、ネジ谷底面をネジ谷の終端間近まで位置させたものにあっては、ネジ谷の終端に近付くに従って、このネジ谷に対する螺合突片の係合力を弱くすることができ、また受皿体が繰り出し限界位置に達した状態で、螺合突片のネジ谷に沿った移動を安定させることができる。
【００１６】
また、本発明の別の構成は、上記した主たる構成に、ストッパー端部の直上のネジ山部分に、リード角が０度の逃げ欠部を形成した、ことを加えたものである。
【００１７】
ストッパー端部の直上のネジ山部分に、リード角が０度の逃げ欠部を形成したものにあっては、受皿体が繰り出し限界位置に達した状態で、操作体の螺合突片が逃げ欠部に侵入して、ストッパー端部の直上のネジ山部分側に近接する状態となるので、ネジ山部分に対する螺合突片の乗り越えが行われ易くなる。
【００１８】
また、本発明の別の構成は、上記した主たる構成と、逃げ欠部を形成した構成に、逃げ欠部を設けた部分からストッパー端部までのネジ谷部分の深さを、ストッパー端部に近付くに従って徐々に浅くして、ネジ谷底面をネジ谷の終端間近まで位置させた、ことを加えたものである。
【００１９】
逃げ欠部を設けると共に、ネジ谷部分の深さを、ストッパー端部に近付くに従って徐々に浅くして、ネジ谷底面をネジ谷の終端間近まで位置させたものにあっては、ネジ谷の終端に近付くに従って、このネジ谷に対する螺合突片の係合力を弱くすることができ、また逃げ欠部に侵入した後の螺合突片のネジ谷に沿った移動を安定させることができる
【発明の効果】
【００２０】
本発明は、上記した構成となっているので、以下に示す効果を奏する。
受皿体が繰り出し限界位置に達した状態で、操作体に対する繰り出し操作を継続すると、操作体の螺合突片は、周方向に相対的に移動しながらネジ脚片のネジ山およびストッパー端部に乗り上げて、ネジ山部分を簡単に乗り越えて隣りのネジ谷に螺合し、これにより受皿体と操作体の螺合が不都合に解除されることが回避されるので、受皿体と操作体との適正な螺合組付きが維持され、安定した繰り出し動作を得ることができる。
【００２１】
ストッパー端部の直上のネジ山部分のネジ山頂面幅を、他のネジ山部分の５０パーセントに設定したものにあっては、ネジ山としての強度を確保した状態で、ネジ山に対する螺合突片の乗り越え動作の高い確実性を得ることができるので、より安定した繰り出し動作を得ることができる。
【００２２】
ネジ山部分のネジ山頂面幅を、ストッパー端部に近付くに従って徐々に小さくしたものにあっては、ストッパー端部の直上のネジ山部分に対する螺合突片の乗り越え動作が、円滑に達成されるので、スムースな螺脱回避動作を得ることができる。
【００２３】
ネジ谷部分の深さを、ストッパー端部に近付くに従って徐々に浅くして、ネジ谷底面をネジ谷の終端間近まで位置させたものにあっては、ネジ谷に対する螺合突片の係合力を弱くすることができると共に、受皿体が繰り出し限界位置に達した状態で、螺合突片のネジ谷に沿った移動を安定させることができるので、ストッパー端部の直上のネジ山部分に対する螺合突片の乗り越え動作を、安定して円滑にかつ容易に達成させることができる。
【００２４】
ストッパー端部の直上のネジ山部分に、リード角が０度の逃げ欠部を形成したものにあっては、受皿体が繰り出し限界位置に達した状態で、受皿体の螺合突片がストッパー端部の直上のネジ山部分側に近接する状態となるので、ネジ山部分に対する螺合突片の乗り越えが行われ易くなり、これにより操作体に対する受皿体の確実な螺脱回避動作を得ることができる。
【００２５】
逃げ欠部を設けると共に、ネジ谷部分の深さを、ストッパー端部に近付くに従って徐々に浅くして、ネジ谷底面をネジ谷の終端間近まで位置させたものにあっては、ネジ谷に対する螺合突片の係合力を弱くすることができると共に、逃げ欠部に侵入した後の螺合突片のネジ谷に沿った移動を安定させるので、ストッパー端部の直上のネジ山部分に対する螺合突片の乗り越え動作を、安定して円滑にかつ容易に達成させることができる。
【図面の簡単な説明】
【００２６】
【図１】本発明の実施形態例を示す、半縦断した全体図である。
【図２】本発明の要部の第１の実施形態例の、要部拡大動作説明図である。
【図３】本発明の要部の第２の実施形態例の、要部拡大動作説明図である。
【図４】本発明の要部の第３の実施形態例の、要部拡大動作説明図である。
【図５】本発明の要部の第４の実施形態例の、要部拡大動作説明図である。
【図６】従来技術を示す、要部拡大動作説明図である。
【発明を実施するための形態】
【００２７】
以下、本発明の実施形態例を、図１〜図５を参照しながら説明する。
なお、本実施形態例では、内容物Ｎの繰り出し方向が上方、繰り入れ方向が下方とする。
【００２８】
図１に示した繰り出し容器の容器本体１は、棒状の内容物Ｎを収納保持する収納筒体２と、内容物Ｎを搭載保持する受皿体６と、収納筒体２内で受皿体６を昇降変位させる操作体１３とを、具備しており、収納筒体２、受皿体６、そして操作体１３は、ポリプロピレンまたはナイロンで成形されている。なお、それぞれの構成部分は、剛性、強度などを考慮して、ポリアセタール樹脂（ＰＯＭ）、耐衝撃性ポリスチレン（ＨＩＰＳ），ポリブチレンテレフタレート（ＰＢＴ），アルミなどを適宜選択して成形材料として使用することもできる。
【００２９】
収納筒体２（以下、図１参照）は、内容物Ｎを収納する筒形状をした収納筒部３の下端に、内鍔状の段部を介して円筒状の脚筒片５を垂下設して構成され、外装筒体１８を外装組付けしている。外装筒体１８は、収納筒部３の外周面に膨出設された組付け部４に、外筒部１９の上端部をアンダーカット結合させ、脚筒片５の下端に、内筒部２０を外嵌させて収納筒体２に組付いており、外筒部１９と内筒部２０とは、下端間を内鍔状のフランジで連結されている。
【００３０】
受皿体６（以下、図１参照）は、収納筒部３内に、摺接しながら回動不能かつ昇降変位可能に組付く保持筒片７により、内容物Ｎを搭載保持する受皿部分を構成し、この保持筒片７から、外周面に二条ネジ構造のネジを刻設した円筒状のネジ脚片８を垂下設した構成となっており、保持筒片７の底壁の上面には、内容物Ｎを支える数個の保持リブが起立設されている。ネジ脚片８の下端には、ネジのネジ谷１０を埋めた構造のストッパー端部１２（図２参照）が、受皿体６と操作体１３の螺脱阻止を目的として形成されている。
【００３１】
操作体１３は、脚筒片５とネジ脚片８の間に回動自在に嵌装した円筒形状の嵌装筒部１４の下端に、鍔片を介して拡径した短円筒状の摘み筒片１６を連設して構成され、嵌装筒部１４を、脚筒片５に、回動変位自在かつ昇降変位不能にアンダーカット結合させると共に、嵌装筒部１４の内周面上端に突設した螺合突片１５を、ネジ脚片８のネジに螺合させている。なお、摘み筒片１６には、容器本体１の下方の開放部分を塞ぐ底筒片が嵌着されている。また、螺合突片１５を突設した嵌装筒部１４の上端部には、ネジ脚片８に対する螺合突片１５の螺合組付けを行い易くするために、割り溝（図示省略）が形成されている。
【００３２】
外蓋２１は、収納筒部３の組付け部４に着脱自在にアンダーカット結合するもので、組付け部４に外嵌する筒状壁の上端に、半円弧殻状の頂壁を連設して構成されている。
【００３３】
次に、要部（ネジ脚片８の下端部分）の実施形態例を順に説明する。この各実施形態例において、ストッパー端部１２の直上のネジ山９部分以外のネジ山頂面幅ａは１．０ｍｍであり、ストッパー端部１２の高さ幅は３．３ｍｍとなっている。
図２は、要部の第１の実施形態例を示すもので、ストッパー端部１２の直上のネジ山９部分（具体的には、ネジ山９の終端位置から中心角４５度〜１３５度の範囲、好適には８２度の範囲であり、他の実施形態例も同じである）のネジ山頂面幅ａを、ストッパー端部１２に近付くに従って徐々に小さく（５０パーセントまで、具体的には、０．５ｍｍまで小さくする）したものである。この第１の実施形態例にあっては、ネジ山頂面幅ａが小さくなるほど、螺合突片１５がネジ山９を乗り越え易くなるので、螺合突片１５は、二点鎖線でその動きを示すように、ネジ山９の終端に近い箇所でネジ山９を乗り越える傾向となる。
【００３４】
図３は、要部であるネジ脚片８の下端部の第２の実施形態例を示すもので、ストッパー端部１２の直上のネジ山９部分のネジ山頂面幅ａを、ストッパー端部１２に近付くに従って徐々に小さく（５０パーセントまで、具体的には、０．５ｍｍまで小さくする）すると共に、ストッパー端部１２の直上のネジ谷１０部分の深さを、ストッパー端部１２に近付くに従って徐々に浅くして、ネジ谷１０の終端間近まで、ネジ谷底面ｂを位置させたものである。この第２の実施形態例にあっては、ネジ谷１０の構造が、ネジ谷１０の終端に近付くに従って徐々に浅くなるので、ネジ谷１０に対する螺合突片１５の係合力が、ネジ谷１０の終端に近付くに従って徐々に弱くなる。また、ネジ谷１０の終端間近まで、ネジ底面と両ネジ側面から構成されるネジ谷１０が位置することになるので、螺合突片１５に対するガイド作用を、比較的安定して維持でき、これにより螺合突片１５のネジ谷１０に沿った移動を安定させることになる。そして、螺合突片１５は、二点鎖線でその動きを示すように、ネジ谷１０の深さが浅くなり、また幅が狭くなった箇所で、ネジ山９を乗り越える。
【００３５】
図４は、要部であるネジ脚片８の下端部の第３の実施形態例を示すもので、ストッパー端部１２の直上のネジ山９部分に、リード角が０度の逃げ欠部１１を形成したものである。また、ネジ谷１０部分の構造は、他の部分と同じであるので、逃げ欠部１１を設けたネジ山９部分が位置するネジ溝部分の溝側面は、逃げ欠部１１を形成した分、傾斜角度が緩やかとなって、螺合突片１５の乗り越えが行われ易い状態となっている。この第３の実施形態例にあっては、受皿体６が繰り出し限界位置に達した状態で、操作体１３の螺合突片１５が速やかに逃げ欠部１１に侵入して、そのままネジ山頂面幅ａを半分に減少させたネジ山９部分に対向することになるので、螺合突片１５が、速やかに、ストッパー端部１２の直上のネジ山９部分を乗り越え易い状態となる。
【００３６】
図５は、要部であるネジ脚片８の下端部の第４の実施形態例を示すもので、ストッパー端部１２の直上のネジ山９部分に、リード角が０度の逃げ欠部１１を形成すると共に、逃げ欠部１１を設けた部分からストッパー端部１２までのネジ谷１０部分の深さを、ストッパー端部１２に近付くに従って徐々に浅くして、ネジ谷１０の終端間近までネジ谷底面ｂを位置させたものである。この第４の実施形態例にあっては、ネジ谷１０の構造が、ネジ谷１０の終端に近付くに従って徐々に浅くなるので、ネジ谷１０に対する螺合突片１５の係合力が、ネジ谷１０の終端に近付くに従って徐々に弱くなる。また、ネジ谷１０の終端間近まで、ネジ底面と両ネジ側面から構成されるネジ谷１０が位置することになるので、螺合突片１５に対するガイド作用を、比較的安定して維持でき、これにより螺合突片１５のネジ谷１０に沿った移動を安定させることになる。そして、螺合突片１５は、二点鎖線でその動きを示すように、ネジ谷１０の深さが浅くなり、また幅が狭くなった箇所で、ネジ山９を乗り越える。
【００３７】
以上、実施形態例に沿って本発明の構成とその作用効果について説明したが、本発明の実施の形態は上記実施形態例に限定されるものではない。例えば、ネジ山頂面幅ａを徐々に小さくする手段と、逃げ欠部１１を設ける手段とを組合わせた構成とすることも可能である。
【産業上の利用可能性】
【００３８】
本発明の繰り出し容器は、ストッパー端部の直上のネジ山部分のネジ山頂面幅を、小さくすることにより、このネジ山部分に対する螺合突片の乗り越えを容易とすることができ、これにより受皿体と操作体の螺脱発生を阻止して、繰り出し容器の安定した出し入れ動作を得ることができるので、繰り出し容器として広い分野での適用が可能とすることができる。
【符号の説明】
【００３９】
１    ；容器本体
２    ；収納筒体
３    ；収納筒部
４    ；組付け部
５    ；脚筒片
６    ；受皿体
７    ；保持筒片
８    ；ネジ脚片
９    ；ネジ山
１０  ；ネジ谷
１１  ；逃げ欠部
１２  ；ストッパー端部
１３  ；操作体
１４  ；嵌装筒部
１５  ；螺合突片
１６  ；摘み筒片
１７  ；底筒片
１８  ；外装筒体
１９  ；外筒部
２０  ；内筒部
２１  ；外蓋
Ｎ    ；内容物
ａ    ；ネジ山頂面幅
ｂ    ；ネジ谷底面
【図１】
2015008935.tif 000003
【図２】
2015008935.tif 000004
【図３】
2015008935.tif 000005
【図４】
2015008935.tif 000006
【図５】
2015008935.tif 000007
【図６】
2015008935.tif 000008